(57)【要約】    【課題】  開閉可能な手差しトレイ及び排紙トレイを有する構成において、ユーザが排紙トレイを開け忘れた場合の問題を防止する。    【解決手段】  手差しトレイ５の開閉状態を検知する開閉検知センサ７及び排紙トレイ８の開閉状態を検知する開閉検知センサ９は制御手段１１に接続されている。制御手段１１は、開閉検知センサ７，９の出力に基づいて手差しトレイ５及び排紙トレイ８の開閉状態を判断し、手差しトレイが開いた状態で排紙トレイ８が閉まっている場合には『排紙トレイ８が閉まっています』あるいは『排紙トレイ８を開けてください』というアラート（警告）表示を、操作パネル上の表示部１２に表示させる。    【選択図】      図３
2006248750.tif 000002
【特許請求の範囲】
【請求項１】
開閉可能な手差し給紙台と、開閉可能な排紙トレイを有するシート材搬送装置において、
前記手差し給紙台の開閉状態を検知する第１の開閉検知手段及び前記排紙トレイの開閉状態を検知する第２の開閉検知手段を備え、
前記手差し給紙台が開いた状態で前記排紙トレイが閉まっている場合に、所定の警告を行なうよう制御する制御手段を有することを特徴とするシート材搬送装置。
【請求項２】
前記警告が表示部への警告表示であることを特徴とする、請求項１に記載のシート材搬送装置。
【請求項３】
前記警告が警告音であることを特徴とする、請求項１又は２に記載のシート材搬送装置。
【請求項４】
前記警告を行った後に前記排紙トレイが開けられた場合、前記警告を解除することを特徴とする、請求項１〜３のいずれか１項に記載のシート材搬送装置。
【請求項５】
前記手差し給紙台から前記排紙トレイへのシート材搬送経路が略直線上に構成されていることを特徴とする、請求項１に記載のシート材搬送装置。
【請求項６】
前記排紙トレイを自動的に開放させる排紙トレイ自動解放機構を備え、前記手差し給紙台が開けられた場合は前記排紙トレイを開放させることを特徴とする、請求項１に記載のシート材搬送装置。
【請求項７】
前記排紙トレイを自動的に開放又は閉鎖させる排紙トレイ自動開閉機構を備え、前記手差し給紙台が開けられた場合は前記排紙トレイを開放させることを特徴とする、請求項１に記載のシート材搬送装置。
【請求項８】
前記排紙トレイが完全に開いたことを検出する検出手段を設け、該検出手段により前記排紙トレイの開放を検出することを特徴とする、請求項７に記載のシート材搬送装置。
【請求項９】
前記手差し給紙台が閉められた場合は前記排紙トレイを閉鎖させることを特徴とする、請求項７に記載のシート材搬送装置。
【請求項１０】
前記排紙トレイを閉鎖させた後に前記第２の開閉検知手段により前記排紙トレイが閉鎖されたか否かを検知し、前記排紙トレイが閉鎖されなかった場合に所定の警告を行なうことを特徴とする、請求項９に記載のシート材搬送装置。
【請求項１１】
前記手差し給紙台を自動的に開放又は閉鎖させる手差し給紙台自動開閉機構を備えることを特徴とする、請求項７に記載のシート材搬送装置。
【請求項１２】
請求項１〜１１のいずれか１項に記載のシート材搬送装置を備えることを特徴とする画像形成装置。
【請求項１３】
当該画像形成装置が接続された外部装置に対して前記警告を送信可能なことを特徴とする、請求項１２に記載の画像形成装置。
【請求項１４】
装置本体内に給紙部を有し、該給紙部からの給紙を指定した際に前記手差し給紙台が開いていた場合は所定の警告を行なうことを特徴とする、請求項１２に記載の画像形成装置。
【請求項１５】
前記手差し給紙台に用紙を検出する用紙検出手段を設け、前記手差し給紙台からの給紙終了後に前記用紙検出手段が用紙を検出した場合は所定の警告を行なうことを特徴とする、請求項１２に記載の画像形成装置。
【発明の詳細な説明】
【技術分野】
【０００１】
本発明は、開閉可能な給紙台および排紙台を備え、給紙台から給紙したシート材を排紙台に排出するシート材搬送装置に関するものである。
【背景技術】
【０００２】
【特許文献１】特開２００３−１８２８８９号公報
【０００３】
装置本体内に設けた給紙トレイ・給紙カセットとは別に、装置本体の側面に開閉可能に設けた手差しトレイを備える画像形成装置は、例えば特許文献１等により周知である。
【０００４】
また、画像形成装置においては、装置上面あるいは装置胴体内に設けた通常の排紙トレイとは別に、装置側面に開閉可能に設けた追加の排紙トレイを備えるものも周知である。
【０００５】
手差しトレイと追加の排紙トレイの双方を備えるものにおいては、手差しトレイと排紙トレイを装置本体の反対側の各側面に配置し、手差しトレイから排紙トレイへのシート材搬送経路をほぼストレート状に構成することによって、厚紙等の特殊紙への記録を可能にしたものがある。このような構成によって、ＯＨＰシートや葉書等の記録媒体を用いて画像形成する際に、記録媒体の撓みを防ぎ、高品質なプリント物を得ることが可能となる。
【発明の開示】
【発明が解決しようとする課題】
【０００６】
しかしながら、開閉可能な手差しトレイ及び排紙トレイを備えるシート材搬送装置あるいは画像形成装置においては、従来は、ユーザが手差しトレイを開けた後に排紙トレイもユーザが開けなければならず、排紙トレイを開け忘れてプリントした場合には用紙ジャムが発生したり、あるいは希望する排紙トレイにプリント物が排出されないという問題があった。
【０００７】
本発明は、従来のシート材搬送装置あるいは画像形成装置における上述の問題を解決し、ユーザの操作を容易にするとともにジャム発生を防止することのできるシート材搬送装置および画像形成装置を提供することを課題とする。
【課題を解決するための手段】
【０００８】
前記の課題は、本発明により、開閉可能な手差し給紙台と、開閉可能な排紙トレイを有するシート材搬送装置において、前記手差し給紙台の開閉状態を検知する第１の開閉検知手段及び前記排紙トレイの開閉状態を検知する第２の開閉検知手段を備え、前記手差し給紙台が開いた状態で前記排紙トレイが閉まっている場合に、所定の警告を行なうよう制御する制御手段を有することにより解決される。
【０００９】
また、前記警告が表示部への警告表示であると好ましい。
また、前記警告が警告音であると好ましい。
また、前記警告を行った後に前記排紙トレイが開けられた場合、前記警告を解除すると好ましい。
【００１０】
また、前記手差し給紙台から前記排紙トレイへのシート材搬送経路が略直線上に構成されていると好ましい。
また、前記排紙トレイを自動的に開放させる排紙トレイ自動解放機構を備え、前記手差し給紙台が開けられた場合は前記排紙トレイを開放させると好ましい。
【００１１】
また、前記排紙トレイを自動的に開放又は閉鎖させる排紙トレイ自動開閉機構を備え、前記手差し給紙台が開けられた場合は前記排紙トレイを開放させると好ましい。
【００１２】
また、前記排紙トレイが完全に開いたことを検出する検出手段を設け、該検出手段により前記排紙トレイの開放を検出すると好ましい。
また、前記手差し給紙台が閉められた場合は前記排紙トレイを閉鎖させると好ましい。
【００１３】
また、前記排紙トレイを閉鎖させた後に前記第２の開閉検知手段により前記排紙トレイが閉鎖されたか否かを検知し、前記排紙トレイが閉鎖されなかった場合に所定の警告を行なうと好ましい。
【００１４】
また、前記手差し給紙台を自動的に開放又は閉鎖させる手差し給紙台自動開閉機構を備えると好ましい。
また、前記の課題は、本発明により、請求項１〜１１のいずれか１項に記載のシート材搬送装置を備えることを特徴とする画像形成装置により解決される。
【００１５】
また、当該画像形成装置が接続された外部装置に対して前記警告を送信可能であると好ましい。
また、装置本体内に給紙部を有し、該給紙部からの給紙を指定した際に前記手差し給紙台が開いていた場合は所定の警告を行なうと好ましい。
【００１６】
また、前記手差し給紙台に用紙を検出する用紙検出手段を設け、前記手差し給紙台からの給紙終了後に前記用紙検出手段が用紙を検出した場合は所定の警告を行なうと好ましい。
【発明の効果】
【００１７】
本発明のシート材搬送装置及び画像形成装置によれば、手差し給紙台が開いた状態で排紙トレイが閉まっている場合に所定の警告を行なうので、手差し給紙台から給紙する際にユーザが排紙トレイを開け忘れることを防止でき、ジャム等を未然に防ぐことができる。
【００１８】
警告としては表示部への表示のほか、警告音による警告も可能である。また、それらの警告を外部装置に出力することで、離れた場所にいるユーザに対しても警告することが可能となる。
【００１９】
排紙トレイの自動解放機構あるいは自動開閉機構を備えることによって、排紙トレイを自動的に解放させることができるので、ユーザが排紙トレイを開け忘れた場合でもジャム等の問題を防止することができる。
【発明を実施するための最良の形態】
【００２０】
以下、本発明の実施の形態を図面に基づいて説明する。
図１は、本発明に係るシート材搬送装置を備える画像形成装置の一例であるインクジェット複写装置の断面構成図である。この図に示すように、本例のインクジェット複写装置１００は、装置下部にプリンタ部２を、装置上部にスキャナ部３を配置し、間に排紙部４を設けた構成となっている。なお、プリンタ機能及びＦＡＸ機能を備えた複合機として構成することも可能である。
【００２１】
スキャナ部３は、コンタクトガラス３１の下方に走査手段３２が走行可能に配設されており、光源により照明された原稿からの反射光をミラー・レンズ等を介してＣＣＤ３３に導き、原稿画像の読み取りが行われる。コンタクトガラス３１の上方には、圧板３４が開閉可能に設けられている。
【００２２】
プリンタ部２は、下方に給紙部２１を配置し、その上部にはインクジェットエンジン２５やインクカートリッジ装着部３０が配置されている。また、図において装置右側面に手差しトレイ５（手差し給紙台）が、装置左側面に排紙トレイ８が、それぞれ開閉可能に設けられている。
【００２３】
給紙部２１では、転写紙等の記録媒体を収納する用紙カセット２２や、その用紙カセット２２から用紙を１枚ずつ給紙するための給紙手段２３等が設けられている。その給紙部２１から排紙部４に到る記録紙搬送路および手差しトレイ５から排紙トレイ８に到る記録紙搬送路が図に一点鎖線で示すように形成され、その記録紙搬送路中の所定個所に搬送ローラ２４が適宜設置され、用紙は上部排紙トレイ４１または排紙トレイ８上に排出される。
【００２４】
インクジェットエンジン２５は、静電吸着ベルト２６を用いた用紙搬送システムを採用しており、従来のローラ搬送方式に比べて安定した紙送りが可能である。キャリッジ２７は印字ヘッド２８を搭載し、主走査方向（図の図面に垂直な方向）に往復移動して印字を行う。印字ヘッド２８は、本例ではシアン（Ｃ），マゼンタ（Ｍ），イエロー（Ｙ），ブラック（Ｂｋ）の各色毎に１ヘッドの４ヘッド構成である。ただしヘッド数はこれに限らず、２色で１ヘッドの２ヘッド構成等でも良い。
【００２５】
本例のインクジェット複写装置１００は各色インクカートリッジ３５を印字ヘッドとは別に搭載し、このカートリッジ３５内のインクが図示しない供給チューブを介して印字ヘッド２８に供給される。各色インクカートリッジをヘッドとは別に搭載する方式は、プリントの高速化に伴うインク消費の増大に対応する大容量タイプのカートリッジを使用可能であり、ビジネスユーズに適した方式である。また、本例では、消費量の大きい黒（Ｂｋ）用のインクカートリッジを２個装着でき、他のイエロー（Ｙ），マゼンタ（Ｍ），シアン（Ｃ）用のインクカートリッジとともに、計５個のインクカートリッジ３５がカートリッジ装着部３０にセットされている。
【００２６】
手差し給紙部においては、手差しトレイ５にセットされた用紙を給送するための給紙手段６が設けられている。また、手差しトレイ５の開閉状態を検出するための開閉検知センサ７が設けられている。開閉検知センサ７としては、例えばフォトセンサやマイクロスイッチ等適宜なものを使用可能である。
【００２７】
手差しトレイ５と反対側の装置側面には、排紙トレイ８が開閉可能に設けられており、その排紙トレイ８の開閉状態を検出するための開閉検知センサ９が設けられている。開閉検知センサ９としては、例えばフォトセンサやマイクロスイッチ等適宜なものを使用可能である。排紙トレイ８の上流側には、用紙搬送方向を上方の排紙部４１または装置側面の排紙トレイ８に切り換える切換爪１０が設けられている。この切換爪１０は、図に実線で示す位置と仮想線で示す位置とに揺動可能であり、本例では排紙トレイ８の開閉に連動して機械的にその切り換えが行われるように構成されている。本例では排紙トレイ８を開くと図１の仮想線の位置に、排紙トレイ８を閉めると図１の実線の位置に切り換わるようになっている。したがって、本例では、排紙トレイ８を開くと用紙は排紙トレイ８に送られ、排紙トレイ８を閉めると用紙は上部排紙トレイ４１へと送られる。
【００２８】
なお、ソレノイド等を用いて切換爪１０を排紙トレイ８の動作とは独立して切り換えるように構成することも可能である。その場合には、手差しトレイ５から給紙して用紙を上部排紙トレイ４１へ排出することも、用紙カセット２２から給紙して用紙を排紙トレイ８に排出することも可能である。
【００２９】
図２は、手差しトレイ５から排紙トレイ８に到る用紙搬送部を簡略的に示す模式図である。図に示すように、手差しトレイ５から給紙された用紙（図示せず）は、インクジェットエンジン部の静電吸着ベルト（搬送ベルト）２６や搬送ローラ２４により搬送され、排紙トレイ８に排出される。手差しトレイ５から給紙して排紙トレイ８に排紙する場合は、ほぼ直線状のストレート用紙搬送路となり、厚紙やＯＨＰシート等の特殊紙へのプリントを行う場合に適している。なお、この図では図１に示した給紙手段６や切換爪１０等は図示を省略している。
【００３０】
さて、本実施形態では、手差しトレイ５から給紙するプリントに際してユーザが排紙トレイ８を開け忘れた場合には、アラート（警告）を行なうように設けている。
【００３１】
図３は、上記アラート表示を実現するための構成を概念的に示す模式図である。この図に示すように、手差しトレイ５の開閉状態を検知する開閉検知センサ７及び排紙トレイ８の開閉状態を検知する開閉検知センサ９は制御手段１１に接続されている。制御手段１１は、開閉検知センサ７，９の出力に基づいて手差しトレイ５及び排紙トレイ８の開閉状態を判断し、手差しトレイが開いた状態で排紙トレイ８が閉まっている場合には『排紙トレイ８が閉まっています』あるいは『排紙トレイ８を開けてください』というアラート（警告）表示を、操作パネル上の表示部１２に表示させる。なお、アラートは、表示部への表示のほか、ブザー等の音でユーザに知らせるものでも良いし、表示と音の双方を行なうものでも良い。
【００３２】
図４は、上記アラート処理を示すフローチャートである。Ｓ１で手差しトレイ５が開いているかどうか判断し、開いている場合はアラート表示を行なう（Ｓ２）。次に、制御部１１は開閉センサ９の出力に基づいて排紙トレイ８が開いたかどうか判断し（Ｓ３）、排紙トレイ８が閉まっている場合はアラート表示を継続し、排紙トレイ８が開くとアラート表示を消す（Ｓ４）。
【００３３】
このように、本例のインクジェット複写装置１００においては、手差しトレイ５から給紙する際にユーザが排紙トレイ８を開け忘れた場合には、アラート（警告）を行なうように設けているので、排紙トレイ８を閉めたままコピー・プリントすることによる不具合を防止することができる。
【００３４】
さらに、本例のインクジェット複写装置１００はプリンタとしても使用可能であるため、複写装置１００が接続されたパソコン等のホスト装置に対してもアラートを出力するように構成されている。これにより、例えばネットワークにより複写装置１００と接続されたパソコンなど、複写装置１００から離れた場所にあるホスト装置においても、排紙トレイが閉まっていることを知ることができ、排紙トレイ８を閉めたままプリントすることによる不具合を防止することができる。
【００３５】
なお、手差しトレイ５に用紙センサを設け、給紙終了後に手差しトレイ５に用紙が残っていた場合には「手差しトレイに用紙が残っています」等のアラート表示を表示部１２に表示させるようにしても良い。
【００３６】
また、手差しトレイ５の開閉状態を検知する開閉検知センサ７があることを利用して、装置本体の用紙カセット２２から給紙してコピー・プリントを行なう場合に手差しトレイ５の開放を検知した場合は、「手差しトレイが開いています」等のアラート表示を表示部１２に表示させるようにしても良い。また、これらのアラートは表示に限らずブザー等の音でユーザに知らせるものでも良いし、表示と音の双方を行なうものでも良い。また、パソコン等のホスト装置に対してもこれらのアラートを出力すると好適である。
【００３７】
次に、排紙トレイ８を自動で開くことができるように構成した第２実施例について説明する。なお、この第２実施例の基本構成は上記第１実施例と同様であるので、重複する説明は省略する。
【００３８】
図５に示すように、本第２実施例においては、排紙トレイ８側の側板にソレノイド１３が取り付けられている。このソレノイド１３は、制御手段１１によってオン／オフが指示される。ソレノイド１３のアームは図示しないリンク機構に連結されている。一方、排紙トレイ８のソレノイド１３に対応する位置には、マグネット板１４が装着されている。排紙トレイ８を閉めると、マグネット板１４がソレノイド１３のアームに連結されたリンク機構の磁性部材に吸着し、排紙トレイ８が閉鎖状態に維持される。ソレノイド１３がオンされて、そのアームがソレノイド本体内に引き込まれると、図示しないリンク機構の回動部材が排紙トレイ８を外方に押しやり、また、このときマグネット板１４と磁性部材との吸着が解除され、自動的に排紙トレイ８が開放される。
【００３９】
本第２実施例では、図６のフローチャートに示すように、Ｓ１で手差しトレイ５が開けられると、制御部１１はソレノイド１３をオン（Ｓ２）させることによって、排紙トレイ８を自動的に開放させる。次に、制御部１１は開閉センサ９の出力に基づいて排紙トレイ８が開いたかどうか判断し（Ｓ３）、開いていない場合はアラート表示を行なう（Ｓ４）。アラートは、表示部への表示のほか、ブザー等の音でユーザに知らせるものでも良いし、表示と音の双方を行なうものでも良い。また、パソコン等のホスト装置に対してもアラートを出力すると好適である。
【００４０】
このように、本第２実施例では、手差しトレイ５が開くと自動的に排紙トレイ８を開放させるので、排紙トレイ８が閉まったままでコピー・プリントが行われることがなく、排紙トレイ８を閉めたままコピー・プリントすることによる不具合を防止することができる。また、ユーザが排紙トレイ８を開ける手間を省くことができるので、操作性が向上する。
【００４１】
次に、排紙トレイ８を自動で開閉できるように構成した第３実施例について説明する。なお、この第３実施例の基本構成は上記第１実施例と同様であるので、重複する説明は省略する。
【００４２】
図７に示すように、本第３実施例においては、排紙トレイ８を回動可能に支持する軸端にギヤ１５が装着されている。このギヤ１５に噛み合うようにギヤ１６が設けられている。ギヤ１６は、モータ１７の駆動軸に装着されたものである。そして、モータ１７は制御手段１１により制御される。モータ１７を図中時計回りに回転（正転とする）させると排紙トレイ８が開放される。モータ１７を図中反時計回りに回転（逆転）させると排紙トレイ８が閉じられる。
【００４３】
また、図８に拡大して示すように、排紙トレイ８の下端部には突設部８ａが回動軸の反対側に設けられている。そして、その突設部８ａを検出するスイッチ１８が側板に装着して設けられている。スイッチ１８の出力は制御手段１１に入力される。突設部８ａは、排紙トレイ８が完全に開いたときにスイッチ１８を押すように構成されており、排紙トレイが開ききっていない場合はスイッチ１８の検知信号は出力されない。したがって、スイッチ１８の出力に基づいて排紙トレイ８が完全に開いたかどうかを判断できる。
【００４４】
本第３実施例では、図９のフローチャートに示すように、まず手差しトレイ５が開いているかどうか判断し（Ｓ１）、手差しトレイ５が開いている場合、制御部１１はモータ１７を正転させ排紙トレイ８を開放させる（Ｓ２）。そして、スイッチ１８がオンしたかどうか判断し（Ｓ３）、スイッチ１８がオンしない、すなわち排紙トレイ８が開ききっていない場合はアラート表示を行なう（Ｓ４）。なお、Ｓ３で開閉センサ９によって排紙トレイ８の開放を判断しても良いが、スイッチ１８の出力によることで、排紙トレイ８が完全に開いたかどうか判断できるので、より好適である。
【００４５】
一方、Ｓ１で手差しトレイ５が閉じている場合はＳ５に進み、開閉センサ９の出力に基づいて排紙トレイ８が閉まっているかどうか判断する。ここで排紙トレイ８が閉まっていれば処理は終了し、排紙トレイ８が閉まっていない場合、制御部１１はモータ１７を逆転させて排紙トレイ８を閉鎖させる（Ｓ６）。そして、開閉センサ９の出力に基づいて排紙トレイ８が閉まったかどうか確認し（Ｓ７）、閉まらない場合はアラート表示を行なう（Ｓ８）。アラートは、表示部への表示のほか、ブザー等の音でユーザに知らせるものでも良いし、表示と音の双方を行なうものでも良い。また、パソコン等のホスト装置に対してもアラートを出力すると好適である。
【００４６】
このように、本第３実施例では、手差しトレイ５の開閉に連動して自動的に排紙トレイ８を開閉させるので、排紙トレイ８が閉まったままでコピー・プリントが行われることがなく、排紙トレイ８を閉めたままコピー・プリントすることによる不具合を防止することができる。その際、スイッチ１８の出力に基づいて排紙トレイ８が完全に開いたかどうかを確認できるので、排紙トレイ８が開ききらずに排紙されることによって起こる用紙ジャムを防止できる。また、ユーザが排紙トレイ８を開け閉めする手間を省くことができるので、操作性が向上する。
【００４７】
なお、手差しトレイ５にも排紙トレイ８と同様の自動開閉機構を設け、手差し給紙を指定した場合に自動的に手差しトレイ５を開放させてやれば、ユーザの手間を省いて操作性を向上させることができる。また、装置本体の用紙カセット２２から給紙してコピー・プリントを行なう場合に手差しトレイ５の開放を検知した場合は自動的に手差しトレイ５を閉鎖するように構成しても良い。
【００４８】
図１０は、電子写真方式の画像形成装置に本発明を適用した第２実施形態を示すものである。図１で説明した第１実施形態と同等の部分には同じ符号を付して重複する説明を省略する。
【００４９】
この図に示す画像形成装置２００は、いわゆるタンデム型のフルカラープリンタとして構成されたもので、装置本体のほぼ中央部に、感光体ドラム２０１の周囲に電子写真プロセスに必要な各機器を配置した作像ユニットＳＵを４つ並設している。各作像ユニットＳＵの構成は同一であり、扱うトナーの色が異なるのみである。本例では、左から順にイエロー（Ｙ），シアン（Ｃ），マゼンタ（Ｍ），ブラック（Ｂｋ）の順に各色作像ユニットを並べている。ただし、色順は本例に限定されるものではない。
【００５０】
４つの作像ユニットＳＵの上方には、光書き込み装置２０２が配設されている。また、４つの作像ユニットＳＵの下方には、中間転写ベルト２０３が配設されている。中間転写ベルト２０３のループ内で各作像ユニットＳＵの感光体ドラム２０１に対向する位置には一次転写ローラ２０４がそれぞれ配置されている。そして、中間転写ベルト２０３の下方には、二次転写手段を兼ねる転写搬送ベルト２０５が配設されている。さらに、転写搬送ベルト２０５に隣接して定着装置２０６が設けられる。
【００５１】
装置下部に用紙カセット２２が配置され、装置上面は排紙部４１として構成されている。また、図において右側の装置側面には手差しトレイ５が開閉可能に設けられ、左側の装置側面には排紙トレイ８が開閉可能に設けられている。また、記録紙搬送路中の所定個所に搬送ローラ２４が適宜設置されている。定着装置２０６を通過後の用紙を、装置上面の排紙部４１または装置側面の排紙トレイ８へと搬送方向を切り換える切換爪１０が、定着装置の下流側に設けられている。
【００５２】
上記のように構成されたフルカラープリンタ２００における作像動作は周知の電子写真プロセスによるものであり、その説明は省略する。
本例のフルカラープリンタ２００においても、手差しトレイ５の開閉状態を検出するための開閉検知センサ７が設けられており、また、排紙トレイ８の開閉状態を検出するための開閉検知センサ９が設けられている。
【００５３】
本第２実施形態においても、先に説明した第１実施形態と同様に、手差しトレイ５から給紙するプリントに際してユーザが排紙トレイ８を開け忘れた場合には、アラート（警告）を行なうようになってている。そのための構成と動作は、図３及び図４を参照して先に説明した第１実施形態の場合と同様である。なおアラートは、表示部への表示のほか、ブザー等の音でユーザに知らせるものでも良いし、表示と音の双方を行なうものでも良い。また、パソコン等のホスト装置に対してもアラートを出力すると好適である。
【００５４】
また、図５及び図６を参照して先に説明した第１実施形態の第２実施例の場合と同様に、手差しトレイ５が開くと自動的に排紙トレイ８を開放させるように構成することができる。
【００５５】
また、図７〜図９を参照して先に説明した第１実施形態の第３実施例の場合と同様に、手差しトレイ５の開閉に連動して自動的に排紙トレイ８を開閉させるように構成することができる。
【００５６】
以上、本発明を図示例により説明したが、本発明はこれに限定されるものではない。画像形成装置以外にも、例えば原稿読取装置など、シート材搬送装置を備え開閉可能な給紙トレイ（原稿トレイを含む）及び排紙トレイを有するものであれば、本発明を適用可能である。
【００５７】
また、各トレイの開閉を検知するセンサやスイッチ類は、フォトセンサやマイクロスイッチ等任意なものを使用可能である。排紙トレイを自動で開放あるいは開閉させる構成も任意な構成を採用可能である。
【００５８】
画像形成装置としてはインクジェット方式・電子写真方式に限らず、任意の作像方式を採用可能である。また、色数も任意であって、モノクロ装置であってもよいことは言うまでもない。また、プリンタ及び複写装置に限らず、ファクシミリであっても良いし、複数の機能を有する複合機であっても良い。
【図面の簡単な説明】
【００５９】
【図１】本発明に係るシート材搬送装置を備える画像形成装置の一例であるインクジェット複写装置の断面構成図である。
【図２】手差しトレイから排紙トレイに到る用紙搬送部を簡略的に示す模式図である。
【図３】アラート表示を実現するための構成を概念的に示す模式図である。
【図４】アラート処理を示すフローチャートである。
【図５】排紙トレイを自動で開放させる第２実施例の構成を示す模式図である。
【図６】第２実施例におけるアラート処理を示すフローチャートである。
【図７】排紙トレイを自動で開閉可能な第３実施例の構成を示す模式図である。
【図８】排紙トレイの自動開閉機構を説明するための拡大図である。
【図９】第３実施例におけるアラート処理を示すフローチャートである。
【図１０】電子写真方式の画像形成装置に本発明を適用した第２実施形態を示す断面構成図である。
【符号の説明】
【００６０】
５              手差しトレイ（手差し給紙台）
７，９          開閉検知センサ
８              排紙トレイ
１０            切換爪
１１            制御手段
１２            表示部
１３            ソレノイド
１５，１６      ギヤ
１７            モータ
１８            スイッチ
２４            搬送ローラ
４１            上部排紙トレイ
１００          インクジェット複写装置
２００          フルカラープリンタ
【図１】
2006248750.tif 000003
【図２】
2006248750.tif 000004
【図３】
2006248750.tif 000005
【図４】
2006248750.tif 000006
【図５】
2006248750.tif 000007
【図６】
2006248750.tif 000008
【図７】
2006248750.tif 000009
【図８】
2006248750.tif 000010
【図９】
2006248750.tif 000011
【図１０】
2006248750.tif 000012